(57)【特許請求の範囲】
【請求項１】
壁面の上方位置に取り付けられる外筐体と、この外筐体に内蔵される収納庫とを備え、この収納庫が相対する両側のリンク部材で支持されて回動され、外筐体内とその前側下方の使用位置に配置自在に形成されている昇降式アッパーキャビネットであって、上記の収納庫が電動昇降式に形成され、この収納庫の底に、下方を照明するための照明器具が、収納庫の格納時に、外筐体内に下端が納まる状態に位置決めされて設けられ、この照明器具に対応する外筐体の底面位置が開口状に形成され、又照明器具が、光を下方に広角に反射させるよう下面が反射面に形成されると共に、収納庫の左右方向に延びて形成されている断面台形状の収納部に蛍光灯等の光源が納められて形成され、この照明器具の収納部が、収納庫の底から内方に凹段差状に形成され、又この照明器具の操作スイッチが収納庫の昇降操作用ハンドルに設けられていると共に、この昇降操作用ハンドルに上記の収納庫の昇降動作用スイッチが設けられていることを特徴とする照明付き昇降式アッパーキャビネット。
【発明の詳細な説明】
【０００１】
【発明の属する技術分野】
本発明は、台所の流し台やレンジ台等の上方の壁面や、洗面室の壁面の上方位置に取り付けて使用する昇降式アッパーキャビネットに関し、更に詳しくは下方を照明できるよう形成した照明付き昇降式アッパーキャビネットに関するものである。
【０００２】
【従来の技術】
従来この種のキャビネットとしては、台所等の壁面の上方位置に取り付けられる外筐体と、この外筐体に内蔵される収納庫とを備え、この収納庫が相対する両側のリンク部材で支持されて回動され、外筐体内とその前側下方の使用位置に配置自在に形成されているものがある（例えば特開２０００ー１０６９５８号公報等参照）。
【０００３】
【発明が解決しようとする課題】
ところで台所の壁面等には、通常、窓や換気扇等が設けられることから、照明器具の取付スペースを、好適な位置に具合良く確保することができない場合が少なくない。
又従来、流し台周りに設けられる照明器具は、壁面の高い位置に固定されているのが通例である。従って調理等の際に手元を明るく照明したい場合、従来は、例えばコードを取付位置から引き出すことができるよう形成された専用の照明器具によらざるを得なかった。
又例えば台所の壁面の前側には、流し台等が設置されるのが通例である。従って従来、流し台周りの照明器具の電灯を交換する際、ユーザーは腕を伸ばし無理な姿勢をとる必要があった。
【０００４】
本発明は、このような従来の実状に鑑み、提案されたものである。
【０００５】
従って本発明の技術的課題は、流し台周り等に効率良く、体裁良く照明器具の設置箇所を確保できるだけではなく、手元を明るく照明できるよう高さを可変でき、又電灯の交換を低い位置で簡単にできるよう形成した照明付き昇降式アッパーキャビネットを提供することにある。
【０００６】
【課題を解決するための手段】
本発明は、上記の課題を解決するために、次のような技術的手段を採る。
【０００７】
即ち本発明は、図１等に示されるように、壁面１の上方位置に取り付けられる外筐体２と、この外筐体２に内蔵される収納庫４とを備え、この収納庫４が相対する両側のリンク部材５で支持されて回動され、外筐体２内とその前側下方の使用位置に配置自在に形成されている昇降式アッパーキャビネットであって、上記の収納庫４が電動昇降式に形成され、この収納庫４の底４ａに、下方を照明するための照明器具７が、収納庫４の格納時に、外筐体２内に下端が納まる状態に位置決めされて設けられ、この照明器具７に対応する外筐体２の底面位置２ａが開口状に形成され、又照明器具７が、光を下方に広角に反射させるよう下面が反射面に形成されると共に、収納庫４の左右方向に延びて形成されている断面台形状の収納部７ａに蛍光灯７ｂ等の光源が納められて形成され、この照明器具７の収納部７ａが、収納庫４の底４ａから内方に凹段差状に形成され、又この照明器具７の操作スイッチ８が収納庫４の昇降操作用ハンドル９に設けられていると共に、この昇降操作用ハンドル９に上記の収納庫４の昇降動作用スイッチが設けられていることを特徴とする（請求項１）。
【０００８】
この本発明品は、上記の通り、収納庫４を電動式で昇降回動させる場合である。上記の照明器具７は、蛍光灯７ｂや白熱灯を備えて構成され、具体的には収納庫４の底板が内方に凹段差状に形成され、この箇所に取り付けられることで実現される。又ここで、外筐体２の底面位置２ａが開口状に形成されている、とは、外筐体２の底面が照明器具７の光を遮らない状態に形成されている、ということを意味し、具体的には外筐体２の底面の全体、或いは照明器具７に対応する外筐体２の底面位置２ａを含む箇所が部分的に開口されることで実現される。操作スイッチ８は、具体的には昇降操作用ハンドル９の前面の片側や中央位置に設けられる。
【０００９】
而して本発明の課題を達成する他の構成としては、例えば図４等に示されるように、壁面１の上方位置に取り付けられる外筐体２と、この外筐体２に内蔵される収納庫４とを備え、この収納庫４が、外筐体２内に設けられている垂直自動昇降機構１０で上下動自在に形成されている昇降式アッパーキャビネットであって、上記の収納庫４の底４ａに、下方を照明するための照明器具７が、収納庫４の格納時に、外筐体２内に下端が納まる状態に位置決めされて設けられ、この照明器具７が、光を下方に広角に反射させるよう下面が反射面に形成されると共に、収納庫４の左右方向に延びて形成されている断面台形状の収納部７ａに蛍光灯７ｂ等の光源が納められて形成され、この照明器具７の収納部７ａが、収納庫４の底４ａから内方に凹段差状に形成され、又この照明器具７の操作スイッチ８が収納庫４の昇降操作用ハンドル９に設けられていると共に、この昇降操作用ハンドル９に上記の収納庫４の昇降動作用スイッチが設けられていることを特徴とするものがある。
照明器具７の形成の仕方等は、請求項１記載の本発明の場合と同様である。
【００１０】
【発明の実施の形態】
以下、本発明の好適な一実施形態を添付図面に従って説明する。
【００１１】
図１等において、１は例えば台所の壁面であり、２はこの壁面１の上方位置に取り付けられる外筐体である。この外筐体２は、前面開口状の箱形に形成されると共に、扉３を備えてなる。
【００１２】
４は、上記の外筐体２に内蔵される収納庫である。この実施形態の本発明品は、この収納庫４と上記の外筐体２とを備え、収納庫４が相対する両側のリンク部材５で支持されて回動され、外筐体２内とその前側下方の使用位置に電動で配置自在に形成されている。６は、収納庫４の昇降回動装置である。この昇降回動装置６は、外筐体２内に設けられている。６ｃは、昇降回動装置６としての可逆回転自在のモータであり、６ｄはこのモータ６ｃの駆動で巻き取り、巻き戻される例えばベルト等の牽引部材である。又６ｅは、上記のモータ６ｃを制御するため外筐体２内の上部に設けられているコントローラである。
【００１３】
７は、下方を照明するための照明器具である。この照明器具７は、収納庫４の底４ａに、収納庫４の格納時に外筐体２内に下端が納まる状態に位置決めされて設けられている。照明器具７は、断面台形状の収納部７ａに蛍光灯７ｂが納められ、家庭用１００Ｖ交流電源から給電され、操作スイッチ８のオン、オフ操作で点灯、消灯するよう構成されている。上記の収納部７ａは、光を下方に広角に反射させるよう下面が反射面に形成されると共に、収納庫４の左右方向に延びて形成されている。
【００１４】
又本発明の場合、照明器具７の操作スイッチ８は、図１等の実施形態に示されるように、昇降操作用ハンドル９に設けられている。この実施形態の場合、操作スイッチ８は、図２に示されるように、昇降操作用ハンドル９の前面の左側に設けられている。また昇降操作用ハンドル９の前面には、その他例えば中央位置に、収納庫４の昇降動作用スイッチが設けられている。
【００１５】
又上記の外筐体２は、照明器具７に対応する底面位置２ａが開口状に形成されている。この実施形態では図３に示されるように、外筐体２の底面は、収納庫４を支持する両側のリンク部材５の遮蔽部２ｂを除き、全体が開口状に形成されている。
【００１６】
９は、収納庫４を昇降操作するための昇降操作用ハンドルである。このハンドル９は、収納庫４の前側の下面に吊り取っ手式に、且つ左右方向に延びて設けられている。
【００１７】
次に本発明品の使用例を説明する。
本発明品は、操作スイッチ８を入れると、照明器具７が点灯し下方を照明する。使用者が上記のハンドル９に設けられている収納庫４の昇降動作用スイッチを入れると、収納庫４がリンク部材５で支持されて平行状態を保ちながら、昇降回動装置６としてのモータ６ｃの作用で前側に回動し、収納庫４が下降する。従って手元を明るくしたい場合は、このように収納庫４を降ろして使用する。
【００１８】
又本発明は、図４〜図６に示されるように、収納庫４が外筐体２内に設けられている垂直自動昇降機構１０で上下動自在に形成されているのでも良い。
以下、この種の垂直昇降式キャビネットに係る本発明品の好適な一実施形態を説明する。上例と同一部材、同一箇所には同一の符号を付し、詳しい説明は省略する。
【００１９】
上記の垂直自動昇降機構１０は、この実施形態では外筐体２の上部に設けられている可逆回転自在の電動機１０ａと、この電動機１０ａの駆動で左右均等に巻き取り巻き戻されるベルト等の牽引用部材１０ｂと、又上記の電動機１０ａを制御するため外筐体２の上部に設けられている制御装置１０ｃ等を備えて形成されている。１１は、外筐体２の天板２ｃに固定されている金属製の取付枠であり、この取付枠１１に上記の電動機１０ａ等が設けられている。収納庫４は、ローラ１２を介して、外筐体２の側板２ｄの内面に縦に設けられている案内レール１３に係合されている。
【００２０】
７は、下方を照明するための照明器具である。この照明器具７は、収納庫４の底４ａに、外筐体２内に下端が納まる状態に設けられている。照明器具７は、上例の場合と同様、蛍光灯７ｂや収納部７ａ等を備えて形成され、家庭用１００Ｖ交流電源から給電されるよう構成されている。又照明器具７の操作スイッチ８は、図５に示されるように、昇降操作用ハンドル９の前面の左側に設けられている。
【００２１】
而してこの本発明品の場合、操作スイッチ８が入ると、照明器具７が点灯し、下方が照明される。又収納庫４の格納時に電動機１０ａのスイッチが入ると、牽引用部材１０ｂとしてのベルトが巻き戻され、収納庫４が案内レール１３に案内されて下降する。これにより照明器具７が下方位置に配置され、手元を明るく照明できる。
【００２２】
なお、図７等に示される実施形態は、照明器具７が、昇降操作用ハンドル９に設けられている例である。この実施形態では、ハンドル９の中央部に所定の長さにわたって照明器具７が設けられ、両側を取っ手として使用できるよう形成されている。蛍光灯７ｂの収納部７ａは、下面を開放させ、カバー状に形成されている。照明器具７に接続される電線１４は、ハンドル９内を通されて配線されている。照明器具７の操作スイッチ８は、収納部７ａの前面に設けられている。
【００２３】
【発明の効果】
以上説明したように本発明は、収納庫が電動で前後方向に回動昇降する昇降式キャビネットにおいて、収納庫の底に、下方を照明するための照明器具を、収納庫の格納時に、外筐体内に下端が納まる状態に位置決めして設け、この照明器具に対応する外筐体の底面位置を開口状に形成し、又照明器具は、光を下方に広角に反射させるよう下面を反射面に形成すると共に、収納庫の左右方向に延びて形成している断面台形状の収納部に蛍光灯等の光源を納めて形成し、この照明器具の収納部を、収納庫の底から内方に凹段差状に形成し、又この照明器具の操作スイッチを収納庫の昇降操作用ハンドルに設けると共に、この昇降操作用ハンドルに収納庫の昇降動作用スイッチを設けたものである。
【００２４】
従って本発明の場合は、流し台等の周りに照明器具の設置箇所を、効率良く且つ体裁良く確保でき、又収納庫を降ろすことで照明器具の高さを低くできるから、これによれば手元を明るく照明でき、しかも電灯を簡単且つ楽に交換できる。
又本発明によると、収納庫の格納時に照明器具が外筐体の底面から下方に突き出されないから、体裁が良くなるだけではなく、この種のキャビネットの梱包が容易になり、又運搬等の際に照明器具を破損させるような不利益を防止できる。
又本発明は、照明器具の操作スイッチを収納庫の昇降操作用ハンドルに設けているため、これによると収納庫の下面等に操作スイッチを設ける場合に比べ、手を高く伸ばすことなく照明の切替え操作を容易にできる。
【図面の簡単な説明】
【図１】  本発明のキャビネットの好適な一実施形態を示す縦断面図である。
【図２】  本発明品の要部正面図である。
【図３】  本発明品の底面図である。
【図４】  収納庫が垂直昇降式の場合の縦断面図である。
【図５】  図４の本発明品の要部正面図である。
【図６】  図４の本発明品の底面図である。
【図７】  本発明の他の実施形態を示す要部正面図である。
【図８】  図７のVIII―VIII線における要部拡大断面図である。
【符号の説明】
１    壁面
２    外筺体
２ａ  底面位置
４    収納庫
４ａ  底
５    リンク部材
７    照明器具
７ａ 収納部
７ｂ 蛍光灯
８ 照明器具の操作スイッチ
９ 昇降操作用ハンドル
【図１】
0004411820.tif 000002
【図２】
0004411820.tif 000003
【図３】
0004411820.tif 000004
【図４】
0004411820.tif 000005
【図５】
0004411820.tif 000006
【図６】
0004411820.tif 000007
【図７】
0004411820.tif 000008
【図８】
0004411820.tif 000009